(57)【要約】【課題】使い勝手のよい検索制御装置及び検索システムを提供する。【解決手段】マイク及びタッチパネルディスプレイのそれぞれに接続される制御装置は、第１検索条件に該当する検索対象を表示する表示領域Ｓ１と、第２検索条件に該当する検索対象を表示する第２表示領域Ｓ２と、第１表示領域Ｓ１及び第２表示領域Ｓ２を重ねた重複領域Ｓ１＆Ｓ２とを一画面に収まるように表示させる。【選択図】図５
2019008632.tif 000002
【特許請求の範囲】
【請求項１】
入力デバイス及び表示デバイスのそれぞれに接続され、前記入力デバイスを通じて入力される検索条件に該当する検索対象を、前記表示デバイスを通じて表示させる検索制御装置であって、
前記検索制御装置は、複数の検索条件が入力された場合、第１検索条件に該当する検索対象を表示する第１表示領域と、前記第１検索条件とは異なる第２検索条件に該当する検索対象を表示する第２表示領域とを一画面に収まるように表示させる検索制御装置。
【請求項２】
前記検索制御装置は、前記第１検索条件と前記第２検索条件との両方を満たす条件が入力された場合、前記第１表示領域と前記第２表示領域とを重ねた重複領域も、前記第１表示領域及び前記第２表示領域とともに一画面に収まるように表示させる請求項１に記載の検索制御装置。
【請求項３】
前記検索制御装置は、特定の検索条件について削除が要求された場合、当該特定の検索条件に該当する検索対象を表示する表示領域のみ削除する請求項１又は２に記載の検索制御装置。
【請求項４】
前記検索制御装置は、表示領域同士が重なっている重複領域が選択された場合、当該重複領域を拡大させる請求項１〜３のうちいずれか一項に記載の検索制御装置。
【請求項５】
入力デバイス及び表示デバイスと、
これら前記入力デバイス及び前記表示デバイスのそれぞれに接続され、前記入力デバイスを通じて入力される検索条件に該当する検索対象を、前記表示デバイスを通じて表示させる検索制御装置とを備える検索システムであって、
前記検索制御装置は、複数の検索条件が入力された場合、第１検索条件に該当する検索対象を表示する第１表示領域と、前記第１検索条件とは異なる第２検索条件に該当する検索対象を表示する第２表示領域とを一画面に収まるように表示させる検索システム。
【発明の詳細な説明】
【技術分野】
【０００１】
本発明は、検索制御装置及び検索システムに関する。
【背景技術】
【０００２】
特許文献１のように、入力装置への音声操作やタッチ操作を通じて、表示装置に検索対象を表示させる検索システムが周知である。このような検索システムでは、検索条件の段階的な入力を受け付けて、表示される検索対象を段階的に減らしている。
【先行技術文献】
【特許文献】
【０００３】
【特許文献１】特開２００６−１９５５７６号公報
【発明の概要】
【発明が解決しようとする課題】
【０００４】
上記のような検索システムでは、複数の検索条件を入力したのち、ある検索条件を外したい場合、その検索条件を入力した段階まで戻る操作をする必要があり、使い勝手が劣っていた。
【０００５】
本発明の目的は、使い勝手のよい検索制御装置及び検索システムを提供することにある。
【課題を解決するための手段】
【０００６】
上記課題を解決するために、入力デバイス及び表示デバイスのそれぞれに接続され、前記入力デバイスを通じて入力される検索条件に該当する検索対象を、前記表示デバイスを通じて表示させる検索制御装置は、複数の検索条件が入力された場合、第１検索条件に該当する検索対象を表示する第１表示領域と、前記第１検索条件とは異なる第２検索条件に該当する検索対象を表示する第２表示領域とを一画面に収まるように表示させることを要旨とする。
【０００７】
この検索制御装置によれば、一画面に第１検索条件に該当する検索対象を表示する第１表示領域、第２検索条件に該当する検索対象を表示する第２表示領域が表示される。すなわち、従来のように、検索条件の設定順を逆に遡って一つ一つの検索条件を削除しなくても、先に設定した検索条件のみに該当する検索対象を確認することができるので、操作の手戻り感を感じにくく、ユーザにとって使い勝手がよい。
【０００８】
上記構成において、前記検索制御装置は、前記第１検索条件と前記第２検索条件との両方を満たす条件が入力された場合、前記第１表示領域と前記第２表示領域とを重ねた重複領域も、前記第１表示領域及び前記第２表示領域とともに一画面に収まるように表示させる。
【０００９】
この構成によれば、重複領域を確認するだけで、第１検索条件及び第２検索条件の両方に該当する検索対象を確認することができる。また、第１検索条件にのみ該当する検索対象及び第２検索条件にのみ該当する検索対象も同時に確認することができる。このため、ユーザにとって使い勝手がよい。
【００１０】
上記構成において、前記検索制御装置は、特定の検索条件について削除が要求された場合、当該特定の検索条件に該当する検索対象を表示する表示領域のみ削除する。
この構成によれば、任意の検索条件及びその表示領域を削除することができるので、従来のように、検索条件の設定順を逆に遡って一つ一つの検索条件を削除しなくて済む分、操作の手戻り感を感じにくく、ユーザにとって使い勝手がよい。
【００１１】
上記構成において、前記検索制御装置は、表示領域同士が重なっている重複領域が選択された場合、当該重複領域を拡大させる。
重複領域は狭くなる傾向にあるが、この構成によれば、重複領域の選択によって、重複領域が拡大されるので、当該重複領域に該当する検索対象がより多く表示されるので、当該検索対象が見やすくなり、ユーザにとって使い勝手がよい。
【００１２】
上記課題を解決するために、入力デバイス及び表示デバイスと、これら前記入力デバイス及び前記表示デバイスのそれぞれに接続され、前記入力デバイスを通じて入力される検索条件に該当する検索対象を、前記表示デバイスを通じて表示させる検索制御装置とを備える検索システムにおいて、前記検索制御装置は、複数の検索条件が入力された場合、第１検索条件に該当する検索対象を表示する第１表示領域と、前記第１検索条件とは異なる第２検索条件に該当する検索対象を表示する第２表示領域と、前記第１表示領域及び前記第２表示領域を重ねた表示領域とを一画面に収まるように表示させることを要旨とする。
【発明の効果】
【００１３】
本発明の検索制御装置及び検索システムは、使い勝手がよいという効果を有する。
【図面の簡単な説明】
【００１４】
【図１】ナビゲーションシステムの概略構成を示すブロック図。
【図２】メモリに記憶されている情報の関係性を示すブロック図。
【図３】目的地検索画面の正面図（検索条件設定操作時）。
【図４】目的地検索画面の正面図（検索条件設定完了時）。
【図５】目的地検索画面の正面図（検索条件設定完了時）。
【図６】目的地検索画面の正面図（検索条件設定完了時）。
【図７】目的地検索画面の正面図（表示領域移動操作時）。
【図８】目的地検索画面の正面図（表示領域移動完了時）。
【図９】目的地検索画面の正面図（表示領域拡大操作時）。
【図１０】目的地検索画面の正面図（表示領域拡大完了時）。
【図１１】目的地検索画面の正面図（表示領域削除操作時）。
【図１２】目的地検索画面の正面図（表示領域削除完了時）。
【図１３】目的地検索画面の正面図（ポップアップ表示時）。
【図１４】目的地検索画面の正面図（重複領域選択操作時）。
【図１５】目的地検索画面の正面図（重複領域拡大完了時）。
【発明を実施するための形態】
【００１５】
以下、検索システムを車載のナビゲーションシステムに具体化した一実施形態を図面にしたがって説明する。
図１に示すように、ナビゲーションシステム１０は、マイク１１、タッチパネルディスプレイ１２、ＧＰＳ受信機１３、スピーカ１４、及び制御装置１５を備える。マイク１１、タッチパネルディスプレイ１２、ＧＰＳ受信機１３、及びスピーカ１４は、それぞれ制御装置１５に電気的に接続されている。
【００１６】
マイク１１は、拾った音を電気信号に変換する。マイク１１は、入力デバイスに相当する。
タッチパネルディスプレイ１２は、タッチ操作された際、その位置情報を示す電気信号を生成する。また、タッチパネルディスプレイ１２は、制御装置１５が生成する後述の電気信号（映像信号）に基づく映像を表示する。タッチパネルディスプレイ１２は、入力デバイス及び表示デバイスに相当する。
【００１７】
ＧＰＳ受信機１３は、ＧＰＳ衛星からの無線信号を受信し、電気信号に変換する。
スピーカ１４は、電気信号を音に変換する。
制御装置１５のメモリ１５ａには、検索対象となる各種情報が記憶されている。検索対象となる情報とは、施設名称、施設ジャンル、駐車場の有無、ペットの有無、住所、電話番号等の情報である。図２に示すように、施設ジャンル、駐車場の有無、ペットの有無、住所、電話番号等の各情報は、施設名称に紐付けされた状態でメモリ１５ａに記憶されている。また、後述の目的地検索画面３０に表示するためのアイコンも施設名称に紐付けされた状態でメモリ１５ａに記憶されている。なお、メモリ１５ａには、地図情報も記憶されている。
【００１８】
図１に示すように、制御装置１５は、検索制御装置に相当するものであって、マイク１１及びタッチパネルディスプレイ１２から入力される電気信号に基づき、メモリ１５ａに記憶されている施設のうちから検索条件に合致する施設の情報をドライバーの視覚に訴えるために電気信号（映像信号）を生成する。この際、制御装置１５は、後述の目的地検索画面３０（図３〜１３参照）がタッチパネルディスプレイ１２に表示されるように電気信号を生成する。表示し、当該変換した電気信号をタッチパネルディスプレイ１２に入力する。なお、目的地検索画面３０（図３〜１３参照）については、後に詳細に説明する。
【００１９】
なお、ある検索条件の入力後、検索条件の追加や削除がマイク１１及びタッチパネルディスプレイ１２へ入力されることもある。このような検索条件の追加や削除における制御装置１５の処理手順については、後に詳細に説明する。
【００２０】
また、制御装置１５は、マイク１１及びタッチパネルディスプレイ１２から入力される電気信号に基づき、目的地検索画面３０をメモリ１５ａに記憶されている施設のうちから目的地を設定する。制御装置１５は、目的地として設定された施設位置とＧＰＳ受信機１３から入力される電気信号から推定される自車位置と目的地との位置関係から、車両をナビゲーションするための経路を演算する。制御装置１５は、演算した経路に沿ってドライバーが運転しやすいように、経路情報をドライバーの視覚や聴覚に訴えるための電気信号を生成する。すなわち、制御装置１５は、タッチパネルディスプレイ１２及びスピーカ１４を通じて、ドライバーの運転をナビゲートする。なお、制御装置１５によるナビゲートについては周知であるため、本例における詳細な説明は割愛する。
【００２１】
次に、目的地が設定されるまでの制御装置１５の作用及びその効果について説明する。
マイク１１が「目的地検索」と音を拾ったり、タッチパネルディスプレイ１２に表示される「目的地検索」に該当するアイコンがタッチされたりしたことを認識すると、制御装置１５は、タッチパネルディスプレイ１２に目的地検索画面３０（図３参照）を表示させる電気信号を生成する。
【００２２】
図３に示すように、制御装置１５は、タッチパネルディスプレイ１２に目的地検索画面３０を表示させている状態で、検索条件の入力を受け付ける。
例えば、図３に破線で示すように、タッチパネルディスプレイ１２に円等の環が描かれる表示領域設定操作されたこと、及び「和食」という音をマイク１１が拾う検索対象指定操作されたことを認識すると、制御装置１５は、図４に示すように、目的地検索画面３０（タッチパネルディスプレイ１２）に「和食」の表示領域Ｓ１を設定し、その表示領域Ｓ１内に該当する施設のアイコンを表示する。なお、「和食」が第１検索条件に、表示領域Ｓ１が第１表示領域に、それぞれ相当する。
【００２３】
ここで、表示領域Ｓ１に表示するアイコンは、過去に目的地として設定された回数や現在の車両位置から近い施設等の基準から表示する。また、表示領域Ｓ１内に表示するアイコンの数は、表示領域Ｓ１の大きさで適宜変更され、単独で表示できないアイコンについては「他○件」（○は数字）と表示される。ここでは、表示領域○内「Ａ」、「Ｂ」、「他○件」のアイコンが表示されるものとする。ここで、「Ａ」、「Ｂ」は異なる施設であることを表す。なお、表示領域Ｓ１に限定してアイコンを表示する基準や数について説明したが、これ以降に説明する表示領域についても同様である。
【００２４】
制御装置１５は、複数の検索条件の入力を受け付ける。例えば、先の表示領域設定操作及び検索対象指定操作「和食」の後、表示領域設定操作及び検索対象指定操作「駐車場あり」を認識すると、制御装置１５は、図５に示すように、目的地検索画面３０に「駐車場あり」の表示領域Ｓ２を設定し、その表示領域Ｓ２内に該当する施設名を表示する。なお、「駐車場あり」が第２検索条件に、表示領域Ｓ２が第２表示領域に、それぞれ相当する。
【００２５】
図５に示すように、後に行われた表示領域設定操作が先に設定されている表示領域Ｓ１と重なるように行われた場合、先に設定されている表示領域Ｓ１と後に設定される表示領域Ｓ２とが重なる。
【００２６】
このように表示領域Ｓ１と表示領域Ｓ２とが重なる重複領域Ｓ１＆Ｓ２には、「和食」及び「駐車場あり」の両方の情報を満たす施設のアイコンが表示される。「Ｂ店」が「和食」及び「駐車場あり」の両方の情報を満たす施設に該当する場合、制御装置１５は、「Ｂ店」の表示位置を表示領域Ｓ１（図４参照）から重複領域Ｓ１＆Ｓ２に移動させる。なお、制御装置１５は、各表示領域に該当する施設のアイコンや、「他○件」のアイコンを適宜表示させる。なお、「他○件」のアイコンは、当該アイコンが属する表示領域や重複領域内に納めるため、「他」のアイコンで代用表示させる場合がある。
【００２７】
このように、本例の制御装置１５は、先に入力された「和食」（第１検索条件）にのみ該当する施設と、後に入力された「駐車場あり」（第２検索条件）にのみ該当する施設と、「和食」及び「駐車場あり」の両方に該当する施設とが目的地検索画面３０の一画面に収まるように並列的に表示させる。従来のように、複数の検索条件の全てに該当する検索対象（施設）のみ表示させるものと比較して、本例の制御装置１５は、アイコン（施設、検索対象）の選択肢を多く提示できるので、使い勝手がよい。
【００２８】
制御装置１５は、さらなる検索条件の入力を受け付ける。例えば、先の表示領域設定操作及び検索対象指定操作「和食」、並びに先の表示領域設定操作及び検索対象指定操作「駐車場あり」の後、表示領域設定操作及び検索対象指定操作「カフェ」を認識すると、制御装置１５は、図６に示すように、目的地検索画面３０に「カフェ」の表示領域Ｓ３を設定し、その表示領域Ｓ３内に該当する施設名を表示する。
【００２９】
なお、図６に示すように、表示領域Ｓ３が重複領域Ｓ１＆Ｓ２と重なるように設定された場合、この３つの表示領域が重なる重複領域Ｓ１＆Ｓ２＆Ｓ３には、「和食」、「駐車場あり」、及び「カフェ」の３つの情報を満たす施設のアイコンが表示される。なお、制御装置１５は、各表示領域に該当する施設のアイコンや、「他○件」のアイコンを適宜表示させる。
【００３０】
このように、本例の制御装置１５は、複数の検索条件と、それぞれに該当する施設のアイコンとを並列的にタッチパネルディスプレイ１２に表示させる。
すなわち、従来のように、２つの検索条件の両方とも満たす施設（アイコン）だけ表示するものと比較して、タッチパネルディスプレイ１２に表示される検索条件が増えるため、目的地設定に迷っている場合など、幅広い選択肢から施設を選ぶことができるので、ユーザにとって、使い勝手がよい。
【００３１】
また、制御装置１５は、タッチパネルディスプレイ１２を通じてドラッグ操作を検出した場合、そのドラッグ操作に対応して表示領域を移動させる。
例えば、図７に示すように、表示領域Ｓ３がタッチされ、そのまま右側にドラッグ操作された場合、図８に示すように、制御装置１５は、ドラッグ操作に合わせて表示領域Ｓ３を移動させる。
【００３２】
以上のように、表示領域Ｓ３の移動により、当該表示領域Ｓ３と表示領域Ｓ１との重なりが解消された場合、制御装置１５は、その重なっていた重複領域Ｓ１＆Ｓ３，Ｓ１＆Ｓ２＆Ｓ３に表示させていたアイコンを移動させたり消去させたりする。
【００３３】
また、図９に示すように、タッチパネルディスプレイ１２を通じてピンチ操作を検出した場合、そのピンチ操作に対応して表示領域を拡大させたり縮小させたりする（以降、拡縮と表現する）。
【００３４】
例えば、図９に示すように、表示領域Ｓ１が２本の指でタッチされた状態で、その２本の指が離れるようにピンチ操作された場合、図１０に示すように、制御装置１５は、ピンチ操作に合わせて表示領域Ｓ１を拡大させる。
【００３５】
このように、表示領域Ｓ１の拡大により、当該表示領域Ｓ１と表示領域Ｓ３との重なりが生じた場合、制御装置１５は、その新たに生じた重複領域Ｓ１＆Ｓ３に該当する施設アイコンを表示させたり、移動させたりする。
【００３６】
以上のように、制御装置１５は、各表示領域の移動や拡縮により、表示領域が他の表示領域と新規に重なる場合、その重なった表示領域に、２つの表示領域のそれぞれに対応する２つの情報を満たす施設のアイコンを表示させる。一方、制御装置１５は、各表示領域の移動や拡縮により、表示領域同士の重なりが解消された場合、その重なっていた表示領域に表示させていた施設のアイコンを移動させたり消去させたりする。なお、制御装置１５は、各表示領域の移動や拡縮により、各表示領域に表示させる検索対象の数を適宜変更してもよい。
【００３７】
このように、検索条件の入力後も、ドラッグ操作やピンチ操作などの簡易な表示領域を移動や拡縮させる操作により、検索条件を適宜変更することができるので、ユーザにとって使い勝手がよい。
【００３８】
また、制御装置１５は、タッチパネルディスプレイ１２を通じて表示領域のいずれかが選択される表示領域選択操作されたこと、及び「削除」という音をマイク１１が拾う検索対象削除操作されたことを認識すると、その表示領域設定操作された表示領域を削除する。
【００３９】
例えば、図１１に示すように、表示領域Ｓ１がタッチされ、「削除」という音をマイク１１が拾ったことを認識すると、制御装置１５は、図１２に示すように、表示領域Ｓ１を削除するとともに、この表示領域Ｓ１に表示させていたアイコンを削除する。
【００４０】
このように、本例の制御装置１５では、検索条件の入力後、検索条件の入力順によらず検索条件を削除することができる。すなわち、制御装置１５では、任意の検索条件及びその表示範囲を削除することができるので、検索条件の設定順を逆に遡って一つ一つの検索条件を削除しなくて済む分、操作の手戻り感を感じにくく、ユーザにとって、使い勝手がよい。
【００４１】
なお、制御装置１５は、タッチパネルディスプレイ１２を通じて、表示領域に表示した「他○件」のアイコンが選択されたことを認識した場合、図１３に示すように、該当する施設をポップアップ表示することが好ましい。
【００４２】
このように表示させることにより、多数の検索条件が入力されたり、一つあたりの表示領域が狭かったりする場合でも、各アイコンが見やすくなる。また、「他○件」のアイコン（特殊アイコン）を選択すればポップアップ表示されるので、こちらも見やすくなり、ユーザにとって使い勝手がよい。
【００４３】
なお、上記実施形態は、以下のように変更してもよい。
・上記実施形態では、表示領域Ｓ２は、表示領域Ｓ１に重なるように設定される場合について説明したが、重ならないように設定される場合もある。このような場合でも、表示領域Ｓ１と表示領域Ｓ２とが並列的に表示されるので、従来のように、検索条件の設定順を逆に遡って一つ一つの検索条件を削除しなくても、先に設定した検索条件のみに該当する検索対象（表示領域Ｓ１に対応する施設）を確認することができるので、操作の手戻り感を感じにくく、ユーザにとって使い勝手がよい。
【００４４】
・上記実施形態において、例えば、重複領域が選択された場合、その重複領域を一つの大きな表示領域としてもよい。
例えば、図１５に示すように、制御装置１５は、重複領域Ｓ１＆Ｓ２がダブルタップなどの選択操作された場合、図１４に示すように、ダブルタップされた重複領域Ｓ１＆Ｓ２を拡大した一つの表示領域Ｓ４を設定する。この際、同図１４に示すように、表示領域Ｓ１及び表示領域Ｓ２は表示しないように設定することが好ましい。
【００４５】
重複領域は狭くなる傾向にあるが、重複領域の選択によって、重複領域が拡大されるので、当該重複領域に該当するアイコンがより多く表示されるので、当該アイコンが見やすくなり、ユーザにとって使い勝手がよい。
【００４６】
なお、ダブルタップは、重複領域Ｓ１＆Ｓ２に表示されるアイコンの選択操作（例えば通常のタップ操作）と切り分ける一例であって、適宜変更してもよい。
・上記実施形態において、制御装置１５は、各表示領域を円表示としたが、楕円や四角など閉じた領域を示す表示であればよい。
【００４７】
・上記実施形態において、制御装置１５は、マイク１１が「目的地検索」と音を拾ったり、タッチパネルディスプレイ１２に表示される「目的地検索」に該当するアイコンがタッチされたりしたことを認識することにより、目的地検索画面３０を表示させたが、次のようにしてもよい。
【００４８】
すなわち、タッチパネルディスプレイ１２が地図を表示している状態であっても、図３に破線で示すような円が描かれる操作をトリガに、目的地検索画面３０に推移するようにしてもよい。このように、目的地検索画面３０へ推移するためのトリガは適宜変更してもよい。
【００４９】
・上記実施形態において、入力デバイス及び表示デバイスとしての機能を有するタッチパネルディスプレイ１２が採用されたが、表示デバイスとしての機能だけ有するディスプレイに変更してもよい。この場合、入力デバイスとして、例えばセンターコンソール等に設けられるスイッチ装置を採用することが望ましい。
【００５０】
・上記実施形態において、入力デバイスとしてのマイク１１及びタッチパネルディスプレイ１２、並びに表示デバイスとしてもタッチパネルディスプレイ１２は、一例であって適宜変更してもよい。
【００５１】
・上記実施形態において、目的地検索画面３０に表示させるアイコンは一例であって、写真や施設名称だけなど、適宜変更可能である。
・上記実施形態において、目的地検索画面３０に表示される各表示領域及び重複領域は、枠で囲むことにより表現したが、背景の色合いを変えるなど、その表示態様について適宜変更可能である。
【００５２】
・上記実施形態において、制御装置１５は、車両のナビゲーションシステム１０に用いられる制御装置について説明したが、特定の検索対象を検索し、検索対象を表示する制御装置であれば適用することができる。例えば、スマートフォンやタブレット端末などに用いられ、ナビゲーションシステムを制御する制御装置や、図書館などのＰＣに用いられ、本の位置検索などを制御する制御装置に適用することができる。
【００５３】
次に、上記実施形態及び上記別例より想起される技術的思想について記載する。
（イ）入力デバイス及び表示デバイスと、これら前記入力デバイス及び前記表示デバイスのそれぞれに接続され、前記入力デバイスを通じて入力される検索条件に該当する検索対象を、前記表示デバイスを通じて表示させるとともに選択される検索対象を目的地に設定し、その目的地までナビゲートする制御装置とを備えるナビゲーションシステムであって、前記制御装置は、複数の検索条件が入力された場合、第１検索条件に該当する検索対象を表示する第１表示領域と、第２検索条件に該当する検索対象を表示する第２表示領域と、前記第１表示領域及び前記第２表示領域を重ねた表示領域とを一画面に収まるように表示させること。
【符号の説明】
【００５４】
Ｓ１，Ｓ２，Ｓ３，Ｓ４…表示領域、Ｓ１＆Ｓ２，Ｓ１＆Ｓ３，Ｓ２＆Ｓ３，Ｓ１＆Ｓ２＆Ｓ３…重複領域、１０…ナビゲーションシステム、１１…マイク（入力デバイス）、１２…タッチパネルディスプレイ（入力デバイス、表示デバイス）、１３…ＧＰＳ受信機、１４…スピーカ、１５…制御装置（検索制御装置）、１５ａ…メモリ、３０…目的地検索画面。
【図１】
2019008632.tif 000003
【図２】
2019008632.tif 000004
【図３】
2019008632.tif 000005
【図４】
2019008632.tif 000006
【図５】
2019008632.tif 000007
【図６】
2019008632.tif 000008
【図７】
2019008632.tif 000009
【図８】
2019008632.tif 000010
【図９】
2019008632.tif 000011
【図１０】
2019008632.tif 000012
【図１１】
2019008632.tif 000013
【図１２】
2019008632.tif 000014
【図１３】
2019008632.tif 000015
【図１４】
2019008632.tif 000016
【図１５】
2019008632.tif 000017